(57)【要約】【課題】  ディスク回転中にレーベル面を目視で確認できるようにする。【解決手段】  装着されたディスクと対向する面に液晶シャッターの窓を設け、ディスクの回転を検出する回転検出手段と、回転に同期して液晶シャッターに印加する電圧を制御する手段とを備える。【選択図】  図１
2008010098.tif 000002
【特許請求の範囲】
【請求項１】
表示手段を備えたディスク駆動装置であり、
回転中のディスクを見かけ上静止して見せるための静止手段を有し、前記静止手段は表示手段が兼用していることを特徴とするディスク駆動装置。
【請求項２】
液晶表示装置を備えたディスク駆動装置であり、
ディスクの回転を検出する回転検出手段と回転に同期して液晶シャッターをON・OFF制御する手段とからなる、回転中のディスクを見かけ上静止して見せるための静止手段を有し、
前記液晶表示装置は液晶シャッター機能と表示機能を兼用しているディスク駆動装置。
【請求項３】
照明装置を備えたディスク駆動装置であり、
ディスクの回転を検出する回転検出手段と回転に同期して照明をON・OFF制御する手段とからなる、回転中のディスクを見かけ上静止して見せるための静止手段を有し、
前記照明装置は発光による表示機能と、回転中のディスクを見かけ上静止して見せるための静止手段を兼用しているディスク駆動装置。
【発明の詳細な説明】
【技術分野】
【０００１】
本発明は、ディスクに情報を記録、再生するディスク駆動装置で、ディスク回転中にディスクのレーベル面が本体外部から確認できるようにした技術である。
【背景技術】
【０００２】
ディスクの表面には、ディスクに記録された内容を表示したレーベルが印刷されている。ディスクが回転中にディスク表面の印刷面を確認する方法としては、特開平１１−２５０６４４(図１０)にあるように、ディスク７の回転を検出する回転検出手段と１回転に１度レーベル面をフラッシュ照明する照明手段１２とを備え、残像を連続させることでレーベル面を見かけ上、静止画像として目視し得るように構成したものがある。
【０００３】
これは、光源の点灯時はレーベル面が明るく、光源が消灯時にはレーベル面が暗くなり、ディスクの回転と同期してレーベル面が見えるときと見えないときを作り出し、残像を作っている。
【特許文献１】特開平１１−２５０６４４
【発明の開示】
【発明が解決しようとする課題】
【０００４】
従来例では、ディスクが１回転するごとに１度レーベル面をフラッシュ照明する照明手段が必要であり、専用のフラッシュ照明装置は機器の小型化を進める上で障害となっている。
【課題を解決するための手段】
【０００５】
そこで本発明は、表示手段を備えたディスク駆動装置であり、
回転中のディスクを見かけ上静止して見せるための静止手段と、前記静止手段を前記表示手段が兼用していることにより目的を達成するものである。つまり、本体に必要な表示装置を兼用して、回転中のディスクを見かけ上静止してみせるのである。
【０００６】
本発明の請求項２記載のものは、
液晶表示装置を備えたディスク駆動装置であり、
ディスクの回転を検出する回転検出手段と、回転に同期して液晶シャッターに印加する電圧を制御する手段とを備えたことにより、
レーベル面が見えるときと、見えないときを液晶シャッターのON・OFFで行う構成とした。
【０００７】
液晶シャッターがONのときは外光が液晶シャッターを通過してディスク面を照らしレーベル面が見える。液晶シャッターがOFFのときはレーベル面が見えない。これにより、残像を作り出すことができ、レーベル面を静止画像として確認できる。
【０００８】
液晶表示装置が表示機能を選択しているときは、本体の状態を表す絵、文字、数字、または時計表示などをおこなう。
【０００９】
また、請求項３記載のものは、本体内部を照らす照明手段を有するディスク駆動装置である。
【００１０】
照明手段は本体の情報を光のパターンで表示する表示機能と、
ディスクの回転に同期して、発光をON・OFFすることで、回転中のディスクを見かけ上静止して見せる機能とを兼用している。
【発明の効果】
【００１１】
残像を利用して回転しているディスクのレーベル面を可視化するために、従来は専用のフラッシュ光源を本体内に設置する必要があるために、そのスペースが小型化を阻害していたが、本発明では専用フラッシュ光源の必要はなく、表示装置を兼用して所望の効果を得ることができ、小型化が可能である。
【発明を実施するための最良の形態】
【００１２】
以下、本発明を実施するための形態に関して説明する。
【実施例１】
【００１３】
本発明の実施例を図１〜図９を用いて説明する。
【００１４】
図１は、本発明のディスク駆動装置本体１の外観を示している。本体１の内部にはディスク７が装着されている。ディスク７と対向するカバーには液晶表示装置２が配置されている。液晶表示装置は、表示機能のときは本体の動作状態を表す絵、文字、数字を表示している。また、液晶表示装置は、液晶シャッターとして働き、ディスクのレーベル面を見せたり、隠したりする。
【００１５】
本体カバーには、複数の操作キー３がある。
【００１６】
使用者は、レンズ部４から入った映像をファインダー５で確認しながら、メインスイッチ６で、記録開始、記録停止および記録モードと再生モードの切替を行う。液晶表示装置２を表示機能で使うか、液晶シャッター機能で使うかは、ユーザーが本体側のキーで選択できるようになっている。
【００１７】
液晶表示面は多数のセグメントで構成されており、表示機能のときは、各セグメント毎に電圧のON、OFFを制御することにより、文字、絵などを表示することができる。
【００１８】
液晶シャッター機能のときは、各セグメントに同時に同じ電圧を印加することで液晶表示面を窓として使用することができる。
【００１９】
図２において、液晶表示装置２は、液晶シャッターの働きをしている場合である。ディスク７を回転させるモータ８からの位相信号（PG）は、制御部９に送られる。制御部９は、モータ８の位相信号に同期した制御電圧を液晶表示装置２に印加し、ディスクが1回転する毎に、液晶シャッターを一回開口させる。
【００２０】
図３は液晶シャッターの動作を説明する図である。
【００２１】
液晶シャッターは、液晶を２枚の電極１０２で挟み、それをさらに２枚のガラス板１００で挟んだ構造をしている。
【００２２】
図３（a）は液晶シャッターに電圧を印加していない状態で、光を透過しない。
【００２３】
これは、電圧を印加していないときは液晶分子103が光を遮断する方向を向いているため、入ってきた光が液晶分子にぶつかり直進できないためである。このときの表示部は図６のように前面黒表示である。
【００２４】
図３（ｂ）は液晶シャッターに電圧V1（Ｖ）を印加して、光を透過させた状態である。液晶分子103は電圧のかかる方向に整列するので、入ってきた光は透過する。このときの表示部は図７のように光を透過する。
【００２５】
ディスク７の回転に同期させて図６の状態と図７の状態を切り替えればディスク７のレーベル面は残像を利用して静止画像として認識できる。
【００２６】
図４は液晶シャッターに印加する電圧と光の透過率の関係を表すグラフである。
【００２７】
０（V）では透過率０（％）で、V1（V）では１００（％）近い透過率である。
【００２８】
図５は、液晶表示装置を表示機能として選択したときの表示部である。この例では、本体の動作モードはＲＥＣモードを示し、また、時刻を示している。これは、“ＲＥＣ”という文字部のセグメントと、時刻の数字を示すセグメントを非透過にすることで黒色表示している。使用者がレーベル面を確認する必要がないときは、図５のように、本体の動作モードや時間を表示させておけばよい
【実施例２】
【００２９】
図８は、本発明の請求項３に対応する本体1内部に照明装置10を設けたものである。
【００３０】
本体１には窓13が設けてあり、窓を通してディスク面を見ることが出来る。
【００３１】
照明装置１０は本体1の状態を光で表示するための表示装置である。
【００３２】
本体1が再生モードの場合には、照明装置１０は緑色に発光し、使用者は窓１３を通過した緑色光で本体1の状態が再生モードであることを認識できる。
【００３３】
本体1が記録モードの場合には、照明装置１０は橙色に発色し、使用者は窓１３を通過した橙色光で本体1の状態が記録モードであることを認識できる。
【００３４】
また、照明装置１０は本体1側からの情報として、アラーム警告、バッテリー低下警告などを光の点滅により表示する。
【００３５】
この照明装置を利用して、モーターの回転に同期してディスク1回転に１回発光させることにより、その光がディスク面に反射し、窓13を通して使用者の目に届くと、あたかもディスクが静止しているように見え、使用者はレーベル面を確認することが出来る。
【実施例３】
【００３６】
図９は、本発明の請求項３に対応する本体1内部に複数の照明装置を設けたものである。
【００３７】
操作性の向上、デザインの優位性から操作キー3の近傍に光源を置き、操作キー3を光らせるようにしたディスク駆動装置である。操作キー３は半透明の樹脂材料でできており、操作キー3の近傍には照明装置１１の光源が設けてある。照明装置11の光は操作キーを照らすとともに、ディスク面も照らすことができる構造である。図６では照明装置の光が直接ディスク面に届く構造であるが、光ガイドを用いても良い。
【００３８】
照明装置１１が本体1の状態を表示する表示モードでは、本体1が再生モードであることを表示するために照明装置11は緑色に発光し、操作キー3を緑色に照らすので、使用者は操作キー3が緑色であることで本体1が再生モードであることを認識できる。
【００３９】
本体1が記録モードであることを表示するために照明装置11は橙色に発光し、操作キー3を橙色に照らすので、使用者は操作キー３が橙色であることで本体1が記録モードであることを認識できる。
【００４０】
また、早送り、巻き戻しモードのときには、複数の照明装置11が順番に光ることによって、操作キー３が並んでいる順番で、右から左へ、または左から右へ、光が移動することで、使用者は本体1の状態が早送り、巻き戻しモードであることを認識できる。また、図８の説明と同様に、照明装置11は本体1側からの情報として、アラーム警告、バッテリー低下警告などを光の点滅により表示する。
【００４１】
この照明装置11を利用して、モーターの回転に同期してディスク1回転に１回発光させることにより、その光がディスク面に反射し、窓13を通して使用者の目に届くと、あたかもディスクが静止しているように見え、使用者はレーベル面を確認することが出来る。
【図面の簡単な説明】
【００４２】
【図１】実施例１の本体外観。
【図２】実施例１の概略図。
【図３】液晶シャッター動作図。
【図４】電圧―透過率グラフ。
【図５】実施例１の液晶表示部。
【図６】実施例１の液晶表示部。
【図７】実施例１の液晶表示部。
【図８】実施例２。
【図９】実施例３。
【図１０】従来例。
【符号の説明】
【００４３】
１  ディスク駆動装置
２  液晶表示装置
３  操作キー
４  レンズ部
５  ファインダー
６  メインスイッチ
７  ディスク
８  駆動モータ
９  制御部
１０  照明装置
１１  複数の照明装置
１２  従来例の照明手段
１３  窓
１００  ガラス
１０１  電極
１０２  シール
１０３  液晶分子
【図１】
2008010098.tif 000003
【図２】
2008010098.tif 000004
【図３】
2008010098.tif 000005
【図４】
2008010098.tif 000006
【図５】
2008010098.tif 000007
【図６】
2008010098.tif 000008
【図７】
2008010098.tif 000009
【図８】
2008010098.tif 000010
【図９】
2008010098.tif 000011
【図１０】
2008010098.tif 000012